(57)【要約】【課題】  ケーシング正面の上下方向中央部に配設された主操作部に加えて下部に配設された補助操作部を備えるスロットマシンであって、従来に比べて部品数が少なく、ケーシングへの部品取付け工数の少ないスロットマシンを提供する。【解決手段】  縦長箱型のケーシングと、周囲に複数種類のシンボルが表示されケーシング内に配設されて回転駆動される複数のリールと、ゲームに投入するメダル数を指示するメダル賭数指示スイッチと複数のリールを一斉に始動させるリール始動スイッチと複数のリールを個別に停止させる複数のリール停止スイッチとを有しケーシング正面の上下方向中央部に配設されたゲーム操作用の主操作部と、停止したリールの所定停止ライン上のシンボルが所定の組み合わせとなった時に払い出される入賞メダルを受けるケーシング正面の下部に配設されたメダル受皿と、メダル受皿と一体化されたゲーム操作用の補助操作部とを備える。【選択図】  図１
2005102879.tif 000002
【特許請求の範囲】
【請求項１】
縦長箱型のケーシングと、周囲に複数種類のシンボルが表示されケーシング内に配設されて回転駆動される複数のリールと、ゲームに投入するメダル数を指示するメダル賭数指示スイッチと複数のリールを一斉に始動させるリール始動スイッチと複数のリールを個別に停止させる複数のリール停止スイッチとを有しケーシング正面の上下方向中央部に配設されたゲーム操作用の主操作部と、停止したリールの所定停止ライン上のシンボルが所定の組み合わせとなった時に払い出される入賞メダルを受けるケーシング正面の下部に配設されたメダル受皿と、メダル受皿と一体化されたゲーム操作用の補助操作部とを備えることを特徴とするスロットマシン。
【請求項２】
補助操作部は、ゲームに投入するメダル数を指示するメダル賭数指示スイッチと複数のリールを一斉に始動させるリール始動スイッチと複数のリールを個別に停止させる複数のリール停止スイッチとを有することを特徴とする請求項１に記載のスロットマシン。
【請求項３】
主操作部が有するメダル賭数指示スイッチは、最大賭数指示スイッチと最小賭数指示スイッチとを有し、補助操作部が有するメダル賭数指示スイッチは最大賭数指示スイッチのみを有することを特徴とする請求項２に記載のスロットマシン。
【請求項４】
補助操作部が有するメダル賭数指示スイッチとリール始動スイッチとリール停止スイッチとは斜め上方へ差し向けられていることを特徴とする請求項２又は３に記載のスロットマシン。
【請求項５】
補助操作部が有するリール始動スイッチは、主操作部が有するリール始動スイッチと同一形状であることを特徴とする請求項２乃至４の何れか１項に記載のスロットマシン。
【請求項６】
補助操作部が有するリール停止スイッチは、主操作部が有するリール停止スイッチと同一形状であることを特徴とする請求項２乃至５の何れか１項に記載のスロットマシン。
【請求項７】
補助操作部が有する賭数指示スイッチは、主操作部が有する賭数指示スイッチと同一形状であることを特徴とする請求項２乃至６の何れか１項に記載のスロットマシン。
【請求項８】
補助操作部に手を対峙させた時に、リール始動スイッチは親指に対峙し、複数のリール停止スイッチは人指し指、中指、薬指にそれぞれ対峙することを特徴とする請求項２乃至７の何れか１項に記載のスロットマシン。
【請求項９】
一対の補助操作部がメダル受皿の左右両側に配設されていることを特徴とする請求項１乃至８の何れか１項に記載のスロットマシン。
【請求項１０】
一対の補助操作部がメダル受皿の左右両側に配設されており、左側の補助操作部が有するリール停止スイッチの配置は、右側の補助操作部が有するリール停止スイッチの配置と対称であることを特徴とする請求項２乃至８の何れか１項に記載のスロットマシン。
【請求項１１】
一対の補助操作部がメダル受皿の左右両側に配設されており、左側の補助操作部が有するリール停止スイッチの配置は、右側の補助操作部が有するリール停止スイッチの配置と同一であることを特徴とする請求項２乃至８の何れか１項に記載のスロットマシン。
【請求項１２】
補助操作部を照明する照明装置を備えることを特徴とする請求項１乃至１１の何れか１項に記載のスロットマシン。
【発明の詳細な説明】
【技術分野】
【０００１】
本発明は、スロットマシンに関するものである。
【背景技術】
【０００２】
縦長箱型のケーシングと、周囲に複数種類のシンボルが表示されケーシング内に配設されて回転駆動される複数のリールと、ゲームに投入するメダル数を指示するメダル賭数指示スイッチと複数のリールを一斉に始動させるリール始動スイッチと複数のリールを個別に停止させる複数のリール停止スイッチとを有しケーシング正面の上下方向中央部に配設されたゲーム操作用の主操作部と、停止したリールの所定停止ライン上のシンボルが所定の組み合わせとなった時に払い出される入賞メダルを受けるケーシング正面の下部に配設されたメダル受皿と、メダル受皿の近傍に配設されたゲーム操作用の補助操作部とを備えるスロットマシンが特許文献１に開示されている。
特許文献１のスロットマシンには、腕を下げて操作可能な補助操作部を備えるので、腕を上げて操作する主操作部のみを備える従来のスロットマシンに比べて遊技者が疲れないという利点がある。また従来のスロットマシンと同様の主操作部も備えるので、従来のスロットマシンの操作に慣れた遊技者も操作に戸惑わないという利点もある。
【特許文献１】実開平４−１０４８９１号公報
【発明の開示】
【発明が解決しようとする課題】
【０００３】
特許文献１のスロットマシンには、補助操作部がメダル受皿とは別体として構成されており、部品数の増加、ケーシングへの部品取付け工数の増加を招くという問題がある。
本発明は上記問題に鑑みてなされたものであり、縦長箱型のケーシングと、周囲に複数種類のシンボルが表示されケーシング内に配設されて回転駆動される複数のリールと、ゲームに投入するメダル数を指示するメダル賭数指示スイッチと複数のリールを一斉に始動させるリール始動スイッチと複数のリールを個別に停止させる複数のリール停止スイッチとを有しケーシング正面の上下方向中央部に配設されたゲーム操作用の主操作部と、停止したリールの所定停止ライン上のシンボルが所定の組み合わせとなった時に払い出される入賞メダルを受けるケーシング正面の下部に配設されたメダル受皿と、メダル受皿の近傍に配設されたゲーム操作用の補助操作部とを備えるスロットマシンであって、特許文献１のスロットマシンに比べて部品数が少なく、ケーシングへの部品取付け工数の少ないスロットマシンを提供することを目的とする。
【課題を解決するための手段】
【０００４】
上記課題を解決するために、本発明においては、縦長箱型のケーシングと、周囲に複数種類のシンボルが表示されケーシング内に配設されて回転駆動される複数のリールと、ゲームに投入するメダル数を指示するメダル賭数指示スイッチと複数のリールを一斉に始動させるリール始動スイッチと複数のリールを個別に停止させる複数のリール停止スイッチとを有しケーシング正面の上下方向中央部に配設されたゲーム操作用の主操作部と、停止したリールの所定停止ライン上のシンボルが所定の組み合わせとなった時に払い出される入賞メダルを受けるケーシング正面の下部に配設されたメダル受皿と、メダル受皿と一体化されたゲーム操作用の補助操作部とを備えることを特徴とするスロットマシンを提供する。
本発明に係るスロットマシンは、腕を下げて操作可能な補助操作部を備えるので、腕を上げて操作する主操作部のみを備える従来のスロットマシンに比べて遊技者が疲れないという利点を有する。また従来のスロットマシンと同様の主操作部も備えるので、従来のスロットマシンの操作に慣れた遊技者も操作に戸惑わないという利点も有する。
本発明に係るスロットマシンの補助操作部はメダル受皿と一体化されているので、本発明に係るスロットマシンは、特許文献１のスロットマシンに比べて部品数、ケーシングへの部品取付け工数が少ない。
【０００５】
本発明の好ましい態様においては、補助操作部は、ゲームに投入するメダル数を指示するメダル賭数指示スイッチと複数のリールを一斉に始動させるリール始動スイッチと複数のリールを個別に停止させる複数のリール停止スイッチとを有する。
主操作部と同様の構成を有する補助操作部により、主操作部と同様にゲームを操作することができる。
【０００６】
本発明の好ましい態様においては、主操作部が有するメダル賭数指示スイッチは、最大賭数指示スイッチと最小賭数指示スイッチとを有し、補助操作部が有するメダル賭数指示スイッチは最大賭数指示スイッチのみを有する。
最大賭数スイッチを操作すると、一般に当選確率的に最も有利になる枚数（一般遊技では３枚、ボーナス遊技では１枚）のメダルが投入される。従って、補助操作部が最大賭指示スイッチを有していれば、遊技者は補助操作部を操作して、有利な枚数のメダルを確実に投入できる。この結果、遊技の興趣が増し、スロットマシンを設置したゲームホールの顧客吸引力が増す。また、補助操作部が最小賭指示スイッチを有さないことにより、補助操作部が小型化されてケーシングへの部品取付け工数が低減する。
【０００７】
本発明の好ましい態様においては、補助操作部が有するメダル賭数指示スイッチとリール始動スイッチとリール停止スイッチとは斜め上方へ差し向けられている。
補助操作部が有するメダル賭数指示スイッチとリール始動スイッチとリール停止スイッチとが斜め上方へ差し向けられていれば、遊技者は掌を下方へ向けて補助操作部の各種スイッチを操作できるので、疲れない。
【０００８】
本発明の好ましい態様においては、補助操作部が有するリール始動スイッチは、主操作部が有するリール始動スイッチと同一形状である。
本発明の好ましい態様においては、補助操作部が有するリール停止スイッチは、主操作部が有するリール停止スイッチと同一形状である。
本発明の好ましい態様においては、補助操作部が有する賭数指示スイッチは、主操作部が有する賭数指示スイッチと同一形状である。
補助操作部が有するスイッチを主操作部が有するスイッチと同一形状にし、両者を共通化することにより、操作部の設計コスト、部品調達コスト、メンテナンスコストが低減する。
【０００９】
本発明の好ましい態様においては、補助操作部に手を対峙させた時に、リール始動スイッチは親指に対峙し、複数のリール停止スイッチはそれぞれ人指し指、中指、薬指に対峙する。
補助操作部に手を対峙させた時に、リール始動スイッチが親指に対峙し、複数のリール停止スイッチがそれぞれ人指し指、中指、薬指に対峙すれば、補助操作部を片手で容易に操作することができる。
【００１０】
本発明の好ましい態様においては、一対の補助操作部がメダル受皿の左右両側に配設されている。
一対の補助操作部がメダル受皿の左右両側に配設されていれば、右利き、左利き何れの遊技者でも、違和感なく補助操作部を操作して遊技ができる。
【００１１】
本発明の好ましい態様においては、一対の補助操作部がメダル受皿の左右両側に配設されており、左側の補助操作部が有するリール停止スイッチの配置は、右側の補助操作部が有するリール停止スイッチの配置と対称である。
左側の補助操作部が有するリール停止スイッチの配置が、右側の補助操作部が有するリール停止スイッチの配置と対称であれば、右手でも左手でも同様にリール停止操作できる。
【００１２】
本発明の好ましい態様においては、一対の補助操作部がメダル受皿の左右両側に配設されており、左側の補助操作部が有するリール停止スイッチの配置は、右側の補助操作部が有するリール停止スイッチの配置と同一である。
左側の補助操作部が有するリール停止スイッチの配置が、右側の補助操作部が有するリール停止スイッチの配置と同一であれば、右側の補助操作部を使い慣れた遊技者が左側の補助操作部を使う際に、或いは左側の補助操作部を使い慣れた遊技者が右側の補助操作部を使う際に、リール停止スイッチを誤操作する可能性が低下する。
【００１３】
本発明の好ましい態様においては、スロットマシンは補助操作部を照明する照明装置を備える。
補助操作部を照明することにより、補助操作部の操作が容易になり且つ誤操作が防止される。
【発明の効果】
【００１４】
本発明に係るスロットマシンは、腕を下げて操作可能な補助操作部を備えるので、腕を上げて操作する主操作部のみを備える従来のスロットマシンに比べて遊技者が疲れないという利点を有する。また従来のスロットマシンと同様の主操作部も備えるので、従来のスロットマシンの操作に慣れた遊技者も操作に戸惑わないという利点も有する。
本発明に係るスロットマシンの補助操作部はメダル受皿と一体化されているので、本発明に係るスロットマシンは、特許文献１のスロットマシンに比べて部品数、ケーシングへの部品取付け工数が少ない。
【発明を実施するための最良の形態】
【００１５】
本発明の実施例に係るスロットマシンを説明する。
【実施例１】
【００１６】
図１に本発明の実施例に係るスロットマシンの外観斜視図を示す。スロットマシンＡは縦長箱型のケーシング１を備えている。周面に複数種類のシンボルが表示され回転駆動される３個のリール２ａ、２ｂ、２ｃがケーシング１内に配設されている。ケーシング１の正面に、上から順に、左右一対の音声表示器３ａ、３ｂ、画像表示器４、リール表示窓５、メダル投入口６、主操作部７、画像表示器８、左右一対の照明ランプ９a、９ｂ、メダル受皿１０、メダル受皿１０の左右に配設されメダル受皿１０と一体化された一対の補助操作部１１、１２が配設されている。
主操作部７はケーシング１正面の上下方向中央部に配設されている。主操作部７は、最大賭数指示スイッチ７ａ、最小賭数指示スイッチ７ｂ、中間賭数指示スイッチ７ｃ、リール始動スイッチ７ｄ、リール停止スイッチ７ｅ、７ｆ、７ｇ、清算スイッチ７ｈを有している。
【００１７】
補助操作部１１、１２は、ケーシング１正面の下部に配設されている。
補助操作部１１は、最大賭数指示スイッチ１１ａ、リール始動スイッチ１１ｄ、リール停止スイッチ１１ｅ、１１ｆ、１１ｇを有している。補助操作部１２は、最大賭数指示スイッチ１２ａ、リール始動スイッチ１２ｄ、リール停止スイッチ１２ｅ、１２ｆ、１２ｇを有している。
スイッチ１１ａ、１１ｄ、１１ｅ、１１ｆ、１１ｇ、１２ａ、１２ｄ、１２ｅ、１２ｆ、１２ｇは、ケーシング１正面から離隔する方向へ向けて斜め上方へ差し向けられている。
最大賭数指示スイッチ１１ａ、１２ａは、主操作部７が有する最大賭指示スイッチ７ａと同一形状を有している。
リール始動スイッチ１１ｄ、１２ｄは、主操作部７が有するリール始動スイッチ７ｄと同一形状を有している。
リール停止スイッチ１１ｅ、１２ｅは主操作部７が有するリール停止スイッチ７ｅと同一形状を有し、リール停止スイッチ１１ｆ、１２ｆは主操作部７が有するリール停止スイッチ７ｆと同一形状を有し、リール停止スイッチ１１ｇ、１２ｇは、主操作部７が有するリール停止スイッチ７ｇと同一形状を有している。
左側の補助操作部１１が有するスイッチ１１ａ、１１ｄ、１１ｅ、１１ｆ、１１ｇは、右側の補助操作部１２が有するスイッチ１２ａ、１２ｄ、１２ｅ、１２ｆ、１２ｇと対称に配設されている。
左側の補助操作部１１に左手を乗せ、右側の補助操作部１２に右手を乗せた時に、リール始動スイッチ１１ｄ、１２ｄは左右の親指に対峙し、リール停止スイッチは１１ｅ、１２ｅは左右の人指し指に対峙し、リール停止スイッチは１１ｆ、１２ｆは左右の中指に対峙し、リール停止スイッチは１１ｇ、１２ｇは左右の薬指に対峙している。
【００１８】
スロットマシンＡの作動を説明する。
遊技者はリール表示窓５を介してリール２ａ、２ｂ、２ｃの回転状態を見ることができる。リール２ａ、２ｂ、２ｃが停止すると、各リールの３駒分のシンボルが、上、中、下、斜めの停止ラインＬ１〜Ｌ５上に整列して並ぶ。停止ラインＬ１〜Ｌ５は、ゲームに投入されるメダルの枚数に応じて順次有効化される。１枚のメダルがゲームに投入されるとＬ１が有効化され、２枚のメダルがゲームに投入されるとＬ１〜Ｌ３が有効化され、３枚のメダルがゲームに投入されるとＬ１〜Ｌ５が有効化される。有効化された停止ライン上に整列したシンボルの組み合わせが入賞に係るものであれば、所定枚数のメダルがメダル払出口を介してメダル受皿１０に払い出される。
【００１９】
遊技者は、メダル投入口６を介してメダルを投入する。メダル投入口６を介して投入されたメダルは、３枚までがゲームに投入され、３枚を超える枚数分のメダルは、スロットマシンＡの機体内に貯留される。貯留されたメダルの枚数は画像表示器４に表示される。画像表示器４に貯留メダル数が表示されている時には、賭数指示スイッチ７ａ〜７ｃ、１１ａ、１２ａの何れかを操作して、貯留されたメダルをゲームに投入することができる。最大賭数指示スイッチ７ａ又は１１ａ又は１２ａを操作すると、貯留されたメダルから最大３枚のメダルをゲームに投入でき、最小賭数指示スイッチ７ｂを操作すると、貯留されたメダルから１枚のメダルをゲームに投入でき、中間賭数指示スイッチ７ｃを操作すると、貯留されたメダルから最大２枚のメダルをゲームに投入できる。
清算スイッチ７ｈを操作すると、貯留されたメダルが、メダル払出口を介してメダル受け皿１０へ放出される。
【００２０】
遊技者がリール始動スイッチ７ｄ又は１１ｄ又は１２ｄを操作するとリール２ａ、２ｂ、２ｃが始動し、リール停止スイッチ７ｅ又は１１ｅ又は１２ｅを操作するとリール２ａが停止し、リール停止スイッチ７ｆ又は１１ｆ又は１２ｆを操作するとリール２ｂが停止し、リール停止スイッチ７ｇ又は１１ｇ又は１２ｇを操作するとリール２ｃが停止する。
前述の如く、投入メダル枚数に応じて有効化された停止ライン上に整列したシンボルの組み合わせが入賞に係るものであれば、所定枚数のメダルがメダル払出口を介してメダル受皿１０に払い出される。
音声表示器３ａ、３ｂ、画像表示器８を介して、アトラクション用やゲーム案内用の各種表示がなされる。照明ランプ９ａ、９ｂは直下の補助操作部１１、１２の操作パネルを照明する。
【００２１】
スロットマシンＡは、ケーシング１正面の下部に配設され、遊技者が腕を下げて操作可能な補助操作部１１、１２を備えるので、遊技者が腕を上げて操作する主操作部７のみを備える従来のスロットマシンに比べて遊技者が疲れないという利点を有する。またスロットマシンＡは、従来のスロットマシンと同様の主操作部７も備えるので、従来のスロットマシンの操作に慣れた遊技者も操作に戸惑わないという利点も有する。
スロットマシンＡの補助操作部１１、１２はメダル受皿１０と一体化されているので、スロットマシンＡは、特許文献１のスロットマシンに比べて部品数が少なく、ひいてはケーシング１への部品取付け工数が少ない。
【００２２】
スロットマシンＡにおいては、補助操作部１１、１２は、メダル賭数指示スイッチ１１ａ、１２ａと、リール始動スイッチ１１ｄ、１２ｄと、リール停止スイッチ１１ｅ〜１１ｇ、１２ｅ〜１２ｇとを有し、主操作部７と同様の構成を有しているので、主操作部７と同様にゲームを操作することができる。
【００２３】
最大賭数スイッチ７ａ又は１１ａ又は１２ａを操作すると、一般に当選確率的に最も有利になる枚数（一般遊技では３枚、ボーナス遊技では１枚）のメダルが投入される。スロットマシンＡにおいては、補助操作部１１、１２は最大賭指示スイッチ１１ａ、１２ａを有しているので、遊技者は補助操作部１１、１２を操作して、有利な枚数のメダルを確実に投入できる。この結果、遊技の興趣が増し、スロットマシンを設置したゲームホールの顧客吸引力が増す。また、補助操作部１１、１２が最小賭指示スイッチや中間賭数指示スイッチを有さないことにより、補助操作部１１、１２が小型化されてケーシング１への部品取付け工数が低減している。
【００２４】
スロットマシンＡにおいては、補助操作部１１、１２が有するメダル賭数指示スイッチ１１ａ、１２ａと、リール始動スイッチ１１ｄ、１２ｄとリール停止スイッチ１１ｅ〜１１ｇ、１２ｅ〜１２ｇとはケーシング１正面から離隔する方向へ向けて斜め上方へ差し向けられており、遊技者は掌を下方へ向けて補助操作部１１、１２の各種スイッチを操作できるので、疲れない。
【００２５】
スロットマシンＡにおいては、補助操作部１１、１２が有する最大賭数指示スイッチ１１ａ、１２ａを主操作部７が有する最大賭指示スイッチ７ａと同一形状にし、補助操作部１１、１２が有するリール始動スイッチ１１ｄ、１２ｄを主操作部７が有するリール始動スイッチ７ｄと同一形状にし、補助操作部１１、１２が有するリール停止スイッチ１１ｅ、１２ｅを主操作部７が有するリール停止スイッチ７ｅと同一形状にし、補助操作部１１、１２が有するリール停止スイッチ１１ｆ、１２ｆを主操作部７が有するリール停止スイッチ７ｆと同一形状にし、補助操作部１１、１２が有するリール停止スイッチ１１ｇ、１２ｇを主操作部７が有するリール停止スイッチ７ｇと同一形状にして、補助操作部１１、１２が有する各種スイッチを主操作部７が有する各種スイッチと共通化することにより、操作部の設計コスト、部品調達コスト、メンテナンスコストが低減している。
【００２６】
スロットマシンＡにおいては、遊技者が補助操作部１１に左手を乗せ或いは補助操作部１２に右手を乗せた時に、リール始動スイッチ１１ｄ、１２ｄは親指に対峙し、リール停止スイッチ１１ｅ、１２ｅは人指し指に対峙し、リール停止スイッチ１１ｆ、１２ｆは中指に対峙し、リール停止スイッチ１１ｇ、１２ｇは薬指に対峙するので、遊技者は補助持操作部１１或いは１２を片手で容易に操作することができる。
【００２７】
スロットマシンＡにおいては、一対の補助操作部１１、１２がメダル受皿１０の左右両側に配設されているので、右利き、左利き何れの遊技者でも、違和感なく補助操作部を操作して遊技ができる。
【００２８】
スロットマシンＡにおいては、左側の補助操作部１１が有するスイッチ１１ａ、１１ｄ、１１ｅ〜１１ｇの配置は、右側の補助操作部１２が有するスイッチ１２ａ、１２ｄ、１２ｅ〜１２ｇの配置と対称なので、遊技者は右手でも左手でも同様に補助操作部を操作できる。
【００２９】
スロットマシンＡにおいては、照明ランプ９ａ、９ｂが直下の補助操作部１１、１２の操作パネルを照明するので、遊技者は補助操作部１１、１２を容易に且つ誤りなく操作できる。
【００３０】
左側の補助操作部１１が有するスイッチ１１ａ、１１ｄ、１１ｅ〜１１ｇの配置を、右側の補助操作部１２が有するスイッチ１２ａ、１２ｄ、１２ｅ〜１２ｇの配置と同一にしても良い。右側の補助操作部１２を使い慣れた遊技者が左側の補助操作部１１を使う際に、或いは左側の補助操作部１１を使い慣れた遊技者が右側の補助操作部１２を使う際に、各種スイッチを誤操作する可能性が低下する。
【００３１】
主操作部７のスイッチ７ａ、７ｂ、７ｄ〜７ｇと、補助操作部１１のスイッチ１１ａ、１１ｂ、１１ｄ〜１１ｇと、補助操作部１２のスイッチ１２ａ、１２ｂ、１２ｄ〜１２ｇとは、何れの操作部のスイッチを操作してもゲームの操作ができるように構成しても良く、或いは、選択装置を操作して択一的に選択した操作部のスイッチを操作してゲームの操作を行うように構成しても良い。
【産業上の利用可能性】
【００３２】
本発明は、スロットマシンに広く利用可能である。
【図面の簡単な説明】
【００３３】
【図１】本発明の実施例に係るスロットマシンの外観斜視図である。
【符号の説明】
【００３４】
Ａ  スロットマシン
１  ケーシング
２ａ、２ｂ、２ｃ  リール
３ａ、３ｂ  音声表示器
４、８  画像表示器
５  リール表示窓
６  メダル投入口
７  主操作部
７ａ  最大賭数指示スイッチ
７ｂ  最小賭数指示スイッチ
７ｃ  中間賭数指示スイッチ
７ｄ  リール始動スイッチ
７ｅ、７ｆ、７ｇ  リール停止スイッチ
９ａ、９ｂ  照明ランプ
１０  メダル受皿
１１、１２  補助操作部
１１ａ、１２ａ  最大賭数指示スイッチ
１１ｄ、１２ｄ  リール始動スイッチ
１１ｅ、１１ｆ、１１ｇ、１２ｅ、１２ｆ、１２ｇ  リール停止スイッチ
【図１】
2005102879.tif 000003